(57)【特許請求の範囲】
【請求項１】
コンパクトディスクを挟んで保護するために、コンパクトディスクを剥離可能に接着固定する接着剤塗布部を有する台紙と、該台紙に上下または左右の少なくとも１辺側に折り部を介して、前記台紙に接着固定した前記コンパクトディスクを覆うカバー紙とからなるコンパクトディスク収納用ケースにおいて、
前記台紙は、
前記折り部を介して折り畳まれた場合に前記コンパクトディスクの外周に沿うように前記カバー紙側に折り曲げ可能に構成されたコンパクトディスク固定ガイド片と、
前記折り部を介して折り畳まれた場合に前記カバー紙と対向する面の互いに対向する２辺に沿うように貼着され、表面に剥離紙が貼着された貼着テープとを有することを特徴とするコンパクトディスク収納用ケース。
【発明の詳細な説明】
【０００１】
【発明の属する技術分野】
本発明は、コンパクトディスク（ＣＤを含む）を安全確実に郵送できる定形郵便物の規格内の郵送に適したコンパクトディスク収納用ケースであって、収納ケースとコンパクトディスクである内容物との総重量が規定以内であり、しかも規定の形状で郵送できるコンパクトディスク収納用ケースに関する。
【０００２】
【従来の技術】
従来、コンパクトディスク（音楽用ＣＤやＣＤ−ＲＯＭ等）は、プラスチックケース内に収納し、これを封筒内に貼付した２枚の合成樹脂シートの間の空気層を備えた緩衝材を介して収納したものや、発砲スチロール等の緩衝材を挿入して、この緩衝材の間に挟み込んで郵送するもの、あるいは、紙箱本体と外箱と中蓋とを有する組立紙箱として紙箱本体は底部とその四周の側壁と各側壁の左右両側端部間に形成された連続片とからなり、一方の相対向する二側壁はそれぞれ本体底部に連結された延出部材が内側に折り返されることによって外側壁と内側壁とを有する二重壁に構成されると共にこの折り返し先端部が本体底部に貼着され、他の相対向する二側壁の一方の側壁上端には外蓋が連接され、他方の側壁上端には中蓋が連設されると共にこの中蓋先端には閉止用の延出片が形成され、連結片には内向きに折り込むための対角線方向の折り目が形成されてなる組立紙箱（実開昭５８ー６７７３２号公報参照）等が存在している。
【０００３】
ところでこのような従来のケースは、コンパクトディスクを保護するためにケース本体サイズも重量も必要以上に大きくなり、郵送に際し定形郵便扱いにならず郵便料が高くなるという問題点があった。すなわち我が国の郵便法には定形郵便制度があり、郵便物が定形条件内にあれば郵送代が安くなる。
【０００４】
この定形条件の寸法は短辺が９ｃｍから１２ｃｍ，長辺が１４ｃｍから２３．５ｃｍで厚みが１ｃｍ以内、重量が５０ｇ以内である。ところがＣＤ−ＲＯＭの直径は１２ｃｍであるため、短辺の外形最大寸法が１２ｃｍの封筒には物理的に収まらない。
【０００５】
ところが郵便物には短辺および長辺には±０．２５ｃｍの許容差が認められている。そこで郵送に適したコンパクトディスク収納用のケースとして、ケースの短辺の許容差を含めた最大値を１２．２５ｃｍとし、長辺を規定寸法の１４ｃｍから２３．５ｃｍとすると定形郵便の寸法に適合する。
【０００６】
【発明が解決しようとする課題】
しかしながら、前記従来技術である封筒内に緩衝材を介在してその緩衝材の間にコンパクトディスクを挟み込むものや組立紙箱により郵送するものは、重量やサイズを規定内におさめることが難しく、また材料費もかさむばかりか、コンパクトディスクを収納する作業などが煩わしかった。この発明は、これらの点に鑑み多量のコンパクトディスクを迅速に安全確実に、しかも規定の郵便料金で簡単に収納できるコンパクトディスク収納用ケースを提供することを目的とするものである。
【０００７】
【課題を解決するための手段】
本発明のコンパクトディスク収納用ケースは、上記の目的を達成するために、
コンパクトディスクを挟んで保護するために、コンパクトディスクを剥離可能に接着固定する接着剤塗布部を有する台紙と、該台紙に上下または左右の少なくとも１辺側に折り部を介して、前記台紙に接着固定した前記コンパクトディスクを覆うカバー紙とからなるコンパクトディスク収納用ケースにおいて、
前記台紙は、
前記折り部を介して折り畳まれた場合に前記コンパクトディスクの外周に沿うように前記カバー紙側に折り曲げ可能に構成されたコンパクトディスク固定ガイド片と、
前記折り部を介して折り畳まれた場合に前記カバー紙と対向する面の互いに対向する２辺に沿うように貼着され、表面に剥離紙が貼着された貼着テープとを有する構成とし、コンパクトディスクを迅速に固定収納するようにしたものである。
【０００８】
【発明の実施形態】
以下、本発明の好適な実施形態を添付図面に基づいて説明する。図１はこの発明のコンパクトディスク収納用ケースの内側を示す展開平面図、図２は図１のコンパクトディスク収納用ケースの表側の展開平面図、図３は図１、図２で示したコンパクトディスク収納用ケースにコンパクトディスクを収納した収納状態説明図、図４は図３の裏面側の収納状態説明図、図５は他の実施形態を示すコンパクトディスク収納用ケースの内側を示す展開平面図、図６は図５のコンパクトディスク収納用ケースの表側の展開平面図、図７は、図１、図２で示すコンパクトディスク収納用ケースにコンパクトディスクを収納する手順を示す収納手順説明図、図８は、図５、図６で示すコンパクトディスク収納用ケースにコンパクトディスクを収納する手順を示す収納手順説明図である。
【０００９】
図１に示すようにコンパクトディスク収納用ケース１は、円盤状のコンパクトディスク１１を挟んで保護するために、まずコンパクトディスク１１を剥離可能に接着固定する接着剤塗布部２を有する台紙３と、この台紙３に上下または、左右の少なくとも１辺側に折り部５を介して、台紙３に接着固定したコンパクトディスク１１を覆うカバー紙４とから構成し、コンパクトディスクを迅速に固定収納するようにしたものであり、後述する透明封筒１５に収納されて郵送される。
【００１０】
また、この台紙３とカバー紙４は、収納用ケース１に収納したコンパクトディスク１１としての郵便物が定形条件内に収まるように長辺が略１５．５ｃｍで短辺が略１２ｃｍのサイズで構成される。さらに、コンパクトディスク収納用ケース１は、郵送後、受領者が透明封筒１５からコンパクトディスクを取り出し、再度台紙３とカバー紙４からなる袋を構成するための収納用ケース１として利用できるように台紙３に切り線１０と折り線１１が設けられたコンパクトディスク固定ガイド片１７が設けられ、さらに剥離紙を剥がすと粘着面が表出するアスティックテープ６がコンパクトディスク接着固定部の両サイドに沿って貼り付けられていて、コンパクトディスク固定ガイド片１７を折り線１１で内側に折り曲げ、カバー紙４を台紙３に折り重ねアスティックテープ６で接着することにより袋を構成することができる。
【００１１】
図２は、図１のコンパクトディスク収納用ケース１の反対側の面を示すもので、両側に移送用孔９を有するマージナル部８をプリンタの移送用トラクタにセットし、連続して、コンパクトディスクの送付先情報１３を印字できるようになっている。また、郵便料金を別に収める料金後納表示１４が表示されている。
【００１２】
また、コンパクトディスク収納用ケースは、図１、図２で示した横長の形態ではなく、図５、図６示したように縦長のコンパクトディスク収納用ケース２１であってもよく、図１、図２と同様にコンパクトディスク収納用ケース２１は、コンパクトディスク１１を挟むために、まずコンパクトディスク１１を剥離可能に接着固定する接着剤塗布部２２を有する台紙２３と、この台紙２３に左右の少なくとも１辺側に折り部２５を介して、台紙２３に接着固定した前記コンパクトディスク１１を覆うカバー紙２４とから構成し、コンパクトディスク１１を迅速に固定収納するようにしたものである。
【００１３】
また、この台紙２３とカバー紙２４は、収納用ケース２１に収納したコンパクトディスク１１としての郵便物が定形条件内に収まるように上下の長辺が略１５．５ｃｍで左右の短辺が略１２ｃｍのサイズで構成される。この場合、折り部２５の中央部は、コンパクトディスク１１の側辺が表出する切り込２６が設けられている。
【００１４】
図６は、図５のコンパクトディスク収納用ケース２１の反対側の面を示すもので、両側に移送用孔２９を有するマージナル部２８をプリンタの移送用トラクタにセットし、連続して、コンパクトディスクの送付先情報３３を印字できるようになっている。また、郵便料金を別に収める料金後納表示３４が表示されている。
【００１５】
このように構成されるコンパクトディスク収納用ケース１，２１は、コンパクトディスクを収納する手順が多少相違する。先ず図１、図２で示されるコンパクトディスク収納用ケース１の場合は、図７に示すようにあらかじめプリンタ等で送付先情報１３が印字されたロール状のコンパクトディスク収納用ケース用紙４２が処理装置４１のトラクタ４３でマージナル部８を引き込みながらアスティックテープ６をロール４６から引き出し台紙３面に張り付けていく。その後、スリッタ４５でマージナル部８が切り落とされる。
【００１６】
次に、給送ローラ４７と、この給送ローラ４７より高速で回転する高速ローラ４８間を収納用ケース用紙が通過することにより速度差により引き裂かれコンパクトディスク収納用ケース用紙は、単位毎に切断される。単位毎に切断されたコンパクトディスク収納用ケース用紙は、搬送爪５４を有する搬送ベルト５０で移送されながらコンパクトディスク１１を収納していく。先ず、低温ホットメルト糊塗布装置５１で糊塗布部２に糊が台紙３に塗布される。このホットメルト糊の溶融温度は、１８０〜２００度Ｃ程度で、比較的軟質のものを選択するとよい。このホットメルト糊が塗布された後は、コンパクトディスク１１が１枚毎取り出され、台紙３の所定位置に接着固定される。そして後段のダウンスタッカ５３に順次ッスタックされていく。
【００１７】
台紙３に接着固定されたコンパクトディスク１１は、カバー紙４が折り重ねられ図３に示される透明封筒１５に収納されて郵送される。この透明封筒１５は、図４に示されるように、折り返し蓋１６を有し、内側に不乾燥性封緘糊１８が塗布されており、きっちりと封緘でき、定形郵便扱いで送付できるようになっている。
【００１８】
一方、図５、図６で示されるコンパクトディスク収納用ケース２１の場合は、図５で確認できるようにコンパクトディスク１１を台紙２３に接着固定する前後のコンパクトディスク１１の間隔を有しているため、図８に示すようにロール状のコンパクトディスク収納用ケース用紙６２がトラクタ装置６３により引き込まれて糊塗布装置６１及びコンパクトディスク貼着装置５２により連続状態でホットメルト糊が塗布、コンパクトディスク１１の台紙２３への接着固定した後、ギロチン式カッター６４（または、スリッタ式カッター）等で切断される。ダウンスタッカ６７にスタックされた後は、図１、図２で示されるコンパクトディスク収納用ケース１と同様に透明封筒に収納されて郵送されるが、この場合は縦長の透明封筒がよい。
【００１９】
ところで、上記のコンパクトディスク収納用ケース１，２１には、図１、図５に示される側の面は、収納用ケースの内側になるが、あらかじめ送付するコンパクトディスクの内容説明や共通の通知事項や広告などがプレ印刷されている。また、図２、図６は、外側の面であり、あらかじめ送付元情報がプレ印刷されているものである。
【００２０】
上述の如く、コンパクトディスク１１を台紙３に接着固定するに際して、接着剤を上記実施態様では、ホットメルト糊を使用したが、ラベルなどで使用する不乾燥性粘着剤でもよいが、ホットメルト糊を使用することにより、コンパクトディスク１１を台紙３から剥がしたときに、べたつかないので、後で台紙３、カバー紙４で構成される袋として使用する場合には適している。また、カバー紙４は、上記実施態様では、台紙３の一端側だけにしか設けてないが、台紙３の両端側に設けてもよい。
【００２１】
【発明の効果】
以上のように、本発明のコンパクトディスク収納用ケースによれば、このコンパクトディスク収納用ケース自体の製造が簡単なうえ、所定の配送先等の個別情報を出力することも容易で、さらに大量のコンパクトディスクを台紙に接着固定するだけで所定位置に確実に固定収納できるので発送する作業も極めて簡単にできる。そのうえコンパクトディスクが定形郵便扱いで送付できる等、産業上極めて有益な効果を奏する。
【図面の簡単な説明】
【図１】  コンパクトディスク収納用ケースの内側を示す展開平面図。
【図２】図１のコンパクトディスク収納用ケースの表側の展開平面図。
【図３】図１、図２で示したコンパクトディスク収納用ケースにコンパクトディスクを収納した収納状態説明図。
【図４】図３の裏面側の収納状態説明図。
【図５】他の実施形態を示すコンパクトディスク収納用ケースの内側の展開平面図。
【図６】図５のコンパクトディスク収納用ケースの表側の展開平面図。
【図７】図１、図２で示すコンパクトディスク収納用ケースにコンパクトディスクを収納する手順を示す収納手順説明図。
【図８】図５、図６で示すコンパクトディスク収納用ケースにコンパクトディスクを収納する手順を示す収納手順説明図である。
【符号の説明】
１      コンパクトディスク収納用ケース
２      接着剤塗布部
３      台紙
４      カバー紙
５      折り部
１１      台紙折り部
２１      コンパクトディスク収納用ケース
２２      接着剤塗布部
２３      台紙
２４      カバー紙
２５      折り部
２６      切欠き
【図１】
0003733211.tif 000002
【図２】
0003733211.tif 000003
【図３】
0003733211.tif 000004
【図４】
0003733211.tif 000005
【図５】
0003733211.tif 000006
【図６】
0003733211.tif 000007
【図７】
0003733211.tif 000008
【図８】
0003733211.tif 000009